(57)【要約】【課題】再生可能なメディアを作成するサービスをインターネットなどのネットワークを介してユーザ（顧客）することが可能である。【解決手段】ネットワーク１と、ネットワーク１に接続され、再生可能なメディア８を作成する注文受付、ユーザ認証及び注文管理を行う注文サーバ２と、ネットワーク１に接続され、メディア８の作成に用いる画像とメディア作成の注文情報とを注文サーバ２へ送信するユーザ端末３とを有し、メディア８の作成に用いる画像は、ユーザ端末３から選択可能である。【選択図】図１
2004318221.tif 000002
【特許請求の範囲】
【請求項１】
ネットワークと、
前記ネットワークに接続され、再生可能なメディアを作成する注文受付、ユーザ認証および注文管理を行う注文サーバと、
前記ネットワークに接続され、前記メディアの作成に用いる画像情報と前記メディア作成の注文情報とを前記注文サーバへ送信するユーザ端末とを有し、
前記メディアの作成に用いる画像情報は、前記ユーザ端末から選択可能であることを特徴とするメディア注文システム。
【請求項２】
前記注文サーバを介して前記メディア作成の生産管理を行なう生産管理サーバを備えることを特徴とする請求項１に記載のメディア注文システム。
【請求項３】
前記画像情報は、前記メディアに書き込む画像情報、または前記メディアに付属させて表示する可視化された画像情報であることを特徴とする請求項１または請求項２に記載のメディア注文システム。
【請求項４】
前記ユーザ端末から前記メディアに書き込む音楽情報を送信することを特徴とする請求項１乃至請求項３のいずれか１項に記載のメディア注文システム。
【請求項５】
前記音楽情報を他のサイトから取り入れて送信することを特徴とする請求項４に記載のメディア注文システム。
【請求項６】
前記ユーザ端末から前記メディアに書き込む挿入楽曲情報および／または挿入楽曲の設定情報を送信することを特徴とする請求項１乃至請求項３のいずれか１項に記載のメディア注文システム。
【請求項７】
前記ユーザ端末から前記メディアに書き込む再生中の挿入する表示文字情報および／または表示文字の設定情報を送信することを特徴とする請求項１乃至請求項６のいずれか１項に記載のメディア注文システム。
【請求項８】
前記ユーザ端末から前記メディアに書き込む音声情報および／または挿入音声設定情報を送信することを特徴とする請求項１乃至請求項７のいずれか１項に記載のメディア注文システム。
【請求項９】
前記音声情報は、ユーザー所有の音声情報であることを特徴とする請求項８に記載のメディア注文システム。
【請求項１０】
前記挿入音声設定情報は、定型音声の選択、挿入位置、時間、音量、フェードイン・フェードアウト設定であることを特徴とする請求項８に記載のメディア注文システム。
【請求項１１】
前記ユーザ端末から前記メディアに書き込む画像情報および／または表示文字情報の演出方法の設定情報を送信することを特徴とする請求項１乃至請求項１０のいずれか１項に記載のメディア注文システム。
【請求項１２】
前記ユーザ端末から前記メディアに書き込む画像情報の再生順の情報を送信することを特徴とする請求項１乃至請求項１１のいずれか１項に記載のメディア注文システム。
【請求項１３】
前記ユーザ端末から前記メディアに用いるレーベル印刷の設定情報を注文時に送信することを特徴とする請求項１乃至請求項１２のいずれか１項に記載のメディア注文システム。
【請求項１４】
前記ユーザ端末から前記メディアに用いるジャケット印刷の設定情報を注文時に送信することを特徴とする請求項１乃至請求項１３のいずれか１項に記載のメディア注文システム。
【請求項１５】
前記注文サーバは、前記再生可能なメディアのプレビューを作成することを特徴とする請求項１乃至請求項１４のいずれか１項に記載のメディア注文システム。
【請求項１６】
前記プレビューが動画表示であることを特徴とする請求項１５に記載のメディア注文システム。
【請求項１７】
前記プレビューがサムネール画像表示であることを特徴とする請求項１５に記載のメディア注文システム。
【請求項１８】
前記注文サーバは、作成した再生可能なメディアの代金領収後に前記プレビューを消去することを特徴とする請求項１５乃至請求項１７のいずれか１項に記載のメディア注文システム。
【請求項１９】
前記注文サーバは、作成した再生可能なメディアの代金領収後所定の保存期間経過後に前記プレビューを消去することを特徴とする請求項１５乃至請求項１７のいずれか１項に記載のメディア注文システム。
【請求項２０】
前記ユーザ端末は、前記注文サーバから前記再生可能なメディアのプレビューを受信することを特徴とする請求項１５乃至請求項１９のいずれか１項に記載のメディア注文システム。
【請求項２１】
前記ユーザ端末は、前記プレビューを他のユーザ端末に転送可能であることを特徴とする請求項２０に記載のメディア注文システム。
【請求項２２】
前記プレビューを他のユーザ端末に転送の際に、低画質閲覧と高画質閲覧の指定が可能であることを特徴とする請求項２１に記載のメディア注文システム。
【請求項２３】
前記プレビューを他のユーザ端末に転送の際に、メディア作成を許可可能であることを特徴とする請求項２１または請求項２２に記載のメディア注文システム。
【請求項２４】
前記注文情報は、注文者情報、注文数、受取方法、代金支払方法、を含むことを特徴とする請求項１乃至請求項２３のいずれか１項に記載のメディア注文システム。
【請求項２５】
ネットワークに接続され、再生可能なメディアを作成する注文受付、ユーザ認証および注文管理を行う注文サーバと、
前記ネットワークに接続され、前記メディアの作成に用いる画像情報と前記メディア作成の注文情報とを前記注文サーバへ送信するユーザ端末とを有し、
前記メディアの作成に用いる画像情報は、前記ユーザ端末から選択可能であることを特徴とするメディア注文方法。
【請求項２６】
前記注文サーバを介して生産管理サーバは、前記メディア作成の生産管理を行なうことを特徴とする請求項２５に記載のメディア注文方法。
【請求項２７】
前記画像情報は、前記メディアに書き込む画像情報、または前記メディアに付属させて表示する可視化された画像情報であることを特徴とする請求項２５または請求項２６に記載のメディア注文方法。
【請求項２８】
前記ユーザ端末から前記メディアに書き込む音楽情報を送信することを特徴とする請求項２５乃至請求項２７のいずれか１項に記載のメディア注文方法。
【請求項２９】
前記音楽情報を他のサイトから取り入れて送信することを特徴とする請求項２８に記載のメディア注文方法。
【請求項３０】
前記ユーザ端末から前記メディアに書き込む挿入楽曲情報および／または挿入楽曲の設定情報を送信することを特徴とする請求項２５乃至請求項２９のいずれか１項に記載のメディア注文方法。
【請求項３１】
前記ユーザ端末から前記メディアに書き込む再生中の挿入する表示文字情報および／または表示文字の設定情報を送信することを特徴とする請求項２５乃至請求項３０のいずれか１項に記載のメディア注文方法。
【請求項３２】
前記ユーザ端末から前記メディアに書き込む音声情報および／または挿入音声設定情報を送信することを特徴とする請求項２５乃至請求項３１のいずれか１項に記載のメディア注文方法。
【請求項３３】
前記音声情報は、ユーザー所有の音声情報であることを特徴とする請求項３２に記載のメディア注文方法。
【請求項３４】
前記挿入音声設定情報は、定型音声の選択、挿入位置、時間、音量、フェードイン・フェードアウト設定であることを特徴とする請求項３２に記載のメディア注文方法。
【請求項３５】
前記ユーザ端末から前記メディアに書き込む画像情報および／または表示文字情報の演出方法の設定情報を送信することを特徴とする請求項２５乃至請求項３４のいずれか１項に記載のメディア注文方法。
【請求項３６】
前記ユーザ端末から前記メディアに書き込む画像情報の再生順の情報を送信することを特徴とする請求項２５乃至請求項３５のいずれか１項に記載のメディア注文方法。
【請求項３７】
前記ユーザ端末から前記メディアに用いるレーベル印刷の設定情報を注文時に送信することを特徴とする請求項２５乃至請求項３６のいずれか１項に記載のメディア注文方法。
【請求項３８】
前記ユーザ端末から前記メディアに用いるジャケット印刷の設定情報を注文時に送信することを特徴とする請求項２５乃至請求項３７のいずれか１項に記載のメディア注文方法。
【請求項３９】
前記注文サーバは、前記再生可能なメディアのプレビューを作成することを特徴とする請求項２５乃至請求項３８のいずれか１項に記載のメディア注文方法。
【請求項４０】
前記プレビューが動画表示であることを特徴とする請求項３９に記載のメディア注文方法。
【請求項４１】
前記プレビューがサムネール画像表示であることを特徴とする請求項３９に記載のメディア注文方法。
【請求項４２】
前記注文サーバは、作成した再生可能なメディアの代金領収後に前記プレビューを消去することを特徴とする請求項３９乃至請求項４１のいずれか１項に記載のメディア注文方法。
【請求項４３】
前記注文サーバは、作成した再生可能なメディアの代金領収後所定の保存期間経過後に前記プレビューを消去することを特徴とする請求項３９乃至請求項４２のいずれか１項に記載のメディア注文方法。
【請求項４４】
前記ユーザ端末は、前記注文サーバから前記再生可能なメディアのプレビューを受信することを特徴とする請求項３９乃至請求項４３のいずれか１項に記載のメディア注文方法。
【請求項４５】
前記ユーザ端末は、前記プレビューを他のユーザ端末に転送可能であることを特徴とする請求項４４に記載のメディア注文方法。
【請求項４６】
前記プレビューを他のユーザ端末に転送の際に、低画質閲覧と高画質閲覧の指定が可能であることを特徴とする請求項４５に記載のメディア注文方法。
【請求項４７】
前記プレビューを他のユーザ端末に転送の際に、メディア作成を許可可能であることを特徴とする請求項４５または請求項４６に記載のメディア注文方法。
【請求項４８】
前記注文情報は、注文者情報、注文数、受取方法、代金支払方法、を含むことを特徴とする請求項２５乃至請求項４７のいずれか１項に記載のメディア注文方法。
【発明の詳細な説明】
【０００１】
【発明の属する技術分野】
この発明は、再生可能なメディアを作成するサービスをインターネットなどのネットワークを介してユーザ（顧客）に提供するメディア注文システムおよびメディア注文方法に関する。
【０００２】
【従来の技術】
近年、デジタルカメラや家庭用デジタルプリンタは、画像処理技術の向上により、めざましい勢いで普及している。それに伴い、使用しているユーザもデジタル画像に対する意識も高まり、インターネットのホームべージ作成やデジタルプリントなど様々な用途で使われてきている。一方、画像プリントサービスを行う出力センターやミニラボ（小規模現像所）や集中処理を行う大ラボなども当然、デジタル画像データを取り扱うサービスが増えてきており、そのサービスバリエーションは多岐に渡る。
【０００３】
写真に関するサービスを顧客に提供する方法として、大ラボや出力センターにスキャナやプリンターを配置し、顧客が撮影した写真画像を画像サーバに蓄積し、顧客が画像サーバにインターネットを介し、アクセスして写真の焼き増し注文や画像のアップロード、ダウンロードなどの各種サービスを提供するネットワークビジネスが提案されている（例えば特許文献１）。このネットワークビジネスの利点として、自宅に居ながらにして注文ができ、デジタル画像ならではのサービスが受けられる為、エンドユーザにとってはメリットが大きく、今後伸びていくサービスであろうと予測される。
【０００４】
【特許文献１】
特開２００１−３４６０２８号公報（第１〜第７頁、図１、図２）
【０００５】
【発明が解決しようとする課題】
このように、デジタルカメラの高性能化、低価格化により写真画像をデジタルデータとして扱うユーザが急激に増加している。また、フィルムカメラで撮影した写真をデジタルデータに変換するサービスも行われており、フィルムを現像した後、スキャナ等で読み取り、読み取った画像データをＣＤ−Ｒ等のメディアに書き込んでユーザに提供するサービスも行われている。
【０００６】
最近はＡＤＳＬ等のブロードバンドが急速に普及しており、インターネットでメディアに書き込んでユーザに提供するサービスができれば、パソコンがあればいつでもどこでも再生可能なメディアを作成する注文ができ、コンビニ等の店で受け取ったり自宅等への配送もでき、取扱店の閉店時間を気にする必要がないため、非常に便利である。
【０００７】
この発明は、このような課題に鑑みてなされたのものであって、再生可能なメディアを作成するサービスをインターネットなどのネットワークを介してユーザ（顧客）することが可能なメディア注文システムおよびメディア注文方法を提供することを目的としている。
【０００８】
【課題を解決するための手段】
前記課題を解決し、かつ目的を達成するために、この発明は、以下のように構成した。
【０００９】
請求項１に記載の発明は、ネットワークと、
前記ネットワークに接続され、再生可能なメディアを作成する注文受付、ユーザ認証および注文管理を行う注文サーバと、
前記ネットワークに接続され、前記メディアの作成に用いる画像情報と前記メディア作成の注文情報とを前記注文サーバへ送信するユーザ端末とを有し、
前記メディアの作成に用いる画像情報は、前記ユーザ端末から選択可能であることを特徴とするメディア注文システムである。
【００１０】
この請求項１に記載の発明によれば、ユーザ端末から画像情報を選択することで、いつでもどこでも再生可能なメディアを作成する注文ができ、コンビニ等の店で受け取ったり自宅等への配送もでき、取扱店の閉店時間を気にする必要がないため、非常に便利である。
【００１１】
請求項２に記載の発明は、前記注文サーバを介して前記メディア作成の生産管理を行なう生産管理サーバを備えることを特徴とする請求項１に記載のメディア注文システムである。
【００１２】
この請求項２に記載の発明によれば、生産管理サーバにより注文サーバを介してメディア作成の生産管理を行なうことで、再生可能なメディアを作成する注文の集中管理でき、効率的に再生可能なメディアを作成することができる。
【００１３】
請求項３に記載の発明は、前記画像情報は、前記メディアに書き込む画像情報、または前記メディアに付属させて表示する可視化された画像情報であることを特徴とする請求項１または請求項２に記載のメディア注文システムである。
【００１４】
この請求項３に記載の発明によれば、画像情報は、メディアに書き込む画像情報、またはメディアに付属させて表示する可視化された画像情報であり、メディアの内容が把握できるように、タイトル・インデックス情報、サムネイル等の可視化情報（画像・文字）をメディア本体表面・裏面あるいはジャケット・カバーなどに表示することができ、ユーザの好みに応じた再生可能なメディアの作成を注文することができる。
【００１５】
請求項４に記載の発明は、前記ユーザ端末から前記メディアに書き込む音楽情報を送信することを特徴とする請求項１乃至請求項３のいずれか１項に記載のメディア注文システムである。
【００１６】
この請求項４に記載の発明によれば、ユーザ端末からメディアに書き込む音楽情報を送信することで、好みの音楽入りの再生可能なメディアの作成を注文することができる。
【００１７】
請求項５に記載の発明は、前記音楽情報を他のサイトから取り入れて送信することを特徴とする請求項４に記載のメディア注文システムである。
【００１８】
この請求項５に記載の発明によれば、音楽情報を他のサイトから取り入れて送信することで、より好みの音楽入りの再生可能なメディアの作成を注文することができる。
【００１９】
請求項６に記載の発明は、前記ユーザ端末から前記メディアに書き込む挿入楽曲情報および／または挿入楽曲の設定情報を送信することを特徴とする請求項１乃至請求項３のいずれか１項に記載のメディア注文システムである。
【００２０】
この請求項６に記載の発明によれば、メディアに書き込む挿入楽曲情報および／または挿入楽曲の設定情報、例えば楽曲選択情報、挿入位置・時間・音量・フェードイン・フェードアウト設定等を送信し、予め選択可能な楽曲リストを表示し、注文サーバまたは生産装置側に挿入する楽曲データを保持することで、注文者が、送信できる音声情報のデータフォーマットは特に制限は無いがＷＡＶ、ＭＰ３、ＭＩＤＩ、ＷＭＡなどの音楽向けのフォーマットを利用できる。
【００２１】
請求項７に記載の発明は、前記ユーザ端末から前記メディアに書き込む再生中の挿入する表示文字情報および／または表示文字の設定情報を送信することを特徴とする請求項１乃至請求項６のいずれか１項に記載のメディア注文システムである。
【００２２】
この請求項７に記載の発明によれば、ユーザ端末からメディアに書き込む再生中の挿入する表示文字情報および／または表示文字の設定情報、例えば定型文選択情報、フォント・サイズ・色・挿入位置・表示時間・表示パターン等を送信し、表示文字は、注文者自らがテキスト文を入力しても良いし、注文サーバで準備した定型文から選択することもできる。また、注文者は、フォント・サイズ・色・挿入位置・表示時間・表示パターンなどを好みに応じて選択指定することが可能となる。
【００２３】
請求項８に記載の発明は、前記ユーザ端末から前記メディアに書き込む音声情報および／または挿入音声設定情報を送信することを特徴とする請求項１乃至請求項７のいずれか１項に記載のメディア注文システムである。
【００２４】
この請求項８に記載の発明によれば、ユーザ端末からメディアに書き込む音声情報および／または挿入音声設定情報を送信し、音声情報は、注文者が所有の音声情報の挿入を指定しても良いし、予め注文サーバーで準備された、音声サンプル（あいさつやメッセージ音声情報）から選択することもできる。注文者が、送信できる音声情報のデータフォーマットは特に制限は無いがＷＡＶ、ＭＰ３、ＷＭＡ等のフォーマットを利用できる。また、注文者は、音声の挿入位置、時間、音量、フェードイン・フェードアウト設定など行うことが可能となり、より好みの音声入りの再生可能なメディアの作成を注文することができる。
【００２５】
請求項９に記載の発明は、前記音声情報は、ユーザー所有の音声情報であることを特徴とする請求項８に記載のメディア注文システムである。
【００２６】
この請求項９に記載の発明によれば、音声情報がユーザー所有の音声情報であり、より好みの音声の再生可能なメディアの作成を注文することができる。
【００２７】
請求項１０に記載の発明は、前記挿入音声設定情報は、定型音声の選択、挿入位置、時間、音量、フェードイン・フェードアウト設定であることを特徴とする請求項８に記載のメディア注文システムである。
【００２８】
この請求項１０に記載の発明によれば、挿入音声設定情報が定型音声の選択、挿入位置、時間、音量、フェードイン・フェードアウト設定であることで、より好みの音声の再生可能なメディアの作成を注文することができる。
【００２９】
請求項１１に記載の発明は、前記ユーザ端末から前記メディアに書き込む画像情報および／または表示文字情報の演出方法の設定情報を送信することを特徴とする請求項１乃至請求項１０のいずれか１項に記載のメディア注文システムである。
【００３０】
この請求項１１に記載の発明によれば、ユーザ端末からメディアに書き込む画像情報および／または表示文字情報の演出方法の設定情報を送信し、ワイプ、ディゾルブ、フェードイン、フェードアウト、文字のスクロール、スーパーインポーズなど、また、画像の送り間隔などの演出効果の付与により、より好みの演出入りの再生可能なメディアの作成を注文することができる。
【００３１】
請求項１２に記載の発明は、前記ユーザ端末から前記メディアに書き込む画像情報の再生順の情報を送信することを特徴とする請求項１乃至請求項１１のいずれか１項に記載のメディア注文システムである。
【００３２】
この請求項１２に記載の発明によれば、ユーザ端末からメディアに書き込む画像情報の再生順の情報を送信することで、より好みの再生可能なメディアの作成を注文することができる。
【００３３】
請求項１３に記載の発明は、前記ユーザ端末から前記メディアに用いるレーベル印刷の設定情報を注文時に送信することを特徴とする請求項１乃至請求項１２のいずれか１項に記載のメディア注文システムである。
【００３４】
この請求項１３に記載の発明によれば、ユーザ端末からメディアに用いるレーベル印刷の設定情報を注文時に送信し、レーベル記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など好みに応じて選択指定することが可能となり、より好みのレーベル印刷を有する再生可能なメディアの作成を注文することができる。
【００３５】
請求項１４に記載の発明は、前記ユーザ端末から前記メディアに用いるジャケット印刷の設定情報を注文時に送信することを特徴とする請求項１乃至請求項１３のいずれか１項に記載のメディア注文システムである。
【００３６】
この請求項１４に記載の発明によれば、ユーザ端末からメディアに用いるジャケット印刷の設定情報を注文時に送信し、ジャケット記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など  を好みに応じて選択指定することが可能となり、より好みのジャケットを有する再生可能なメディアの作成を注文することができる。
【００３７】
請求項１５に記載の発明は、前記注文サーバは、前記再生可能なメディアのプレビューを作成することを特徴とする請求項１乃至請求項１４のいずれか１項に記載のメディア注文システムである。
【００３８】
この請求項１５に記載の発明によれば、注文サーバは、再生可能なメディアのプレビューを作成することで、ユーザがプレビューで確認して好みの再生可能なメディアの作成を注文することができる。
【００３９】
請求項１６に記載の発明は、前記プレビューが動画表示であることを特徴とする請求項１５に記載のメディア注文システムである。
【００４０】
この請求項１６に記載の発明によれば、プレビューが動画表示であることで、ユーザがプレビューで確認してより好みの再生可能なメディアの作成を注文することができる。
【００４１】
請求項１７に記載の発明は、前記プレビューがサムネール画像表示であることを特徴とする請求項１５に記載のメディア注文システムである。
【００４２】
この請求項１７に記載の発明によれば、プレビューがサムネール画像表示であることで、ユーザがプレビューで確認してより好みの再生可能なメディアの作成を注文することができる。
【００４３】
請求項１８に記載の発明は、前記注文サーバは、作成した再生可能なメディアの代金領収後に前記プレビューを消去することを特徴とする請求項１５乃至請求項１７のいずれか１項に記載のメディア注文システムである。
【００４４】
この請求項１８に記載の発明によれば、注文サーバは、作成した再生可能なメディアの代金領収後にプレビューを消去することで、保存期間中に注文の証拠とすることができ、またプレビューから修正や再注文等にも対応することができる。
【００４５】
請求項１９に記載の発明は、前記注文サーバは、作成した再生可能なメディアの代金領収後所定の保存期間経過後に前記プレビューを消去することを特徴とする請求項１５乃至請求項１７のいずれか１項に記載のメディア注文システムである。
【００４６】
この請求項１９に記載の発明によれば、注文サーバは、作成した再生可能なメディアの代金領収後所定の保存期間経過後にプレビューを消去することで、保存期間中に注文の証拠とすることができ、またプレビューから修正や再注文等にも対応することができる。
【００４７】
請求項２０に記載の発明は、前記ユーザ端末は、前記注文サーバから前記再生可能なメディアのプレビューを受信することを特徴とする請求項１５乃至請求項１９のいずれか１項に記載のメディア注文システムである。
【００４８】
この請求項２０に記載の発明によれば、ユーザ端末は、注文サーバから再生可能なメディアのプレビューを受信することで、ユーザがプレビューを自由に変更したり、閲覧可能にすることができる。
【００４９】
請求項２１に記載の発明は、前記ユーザ端末は、前記プレビューを他のユーザ端末に転送可能であることを特徴とする請求項２０に記載のメディア注文システムである。
【００５０】
この請求項２１に記載の発明によれば、ユーザ端末は、プレビューを他のユーザ端末に転送可能であることで、ユーザがプレビューを自由に友人等に紹介することができる。
【００５１】
請求項２２に記載の発明は、前記プレビューを他のユーザ端末に転送の際に、低画質閲覧と高画質閲覧の指定が可能であることを特徴とする請求項２１に記載のメディア注文システムである。
【００５２】
この請求項２２に記載の発明によれば、プレビューを他のユーザ端末に転送の際に、低画質閲覧と高画質閲覧の指定が可能であることで、プレビューの閲覧や販売が可能である。
【００５３】
請求項２３に記載の発明は、前記プレビューを他のユーザ端末に転送の際に、メディア作成を許可可能であることを特徴とする請求項２１または請求項２２に記載のメディア注文システムである。
【００５４】
この請求項２３に記載の発明によれば、プレビューを他のユーザ端末に転送の際に、メディア作成を許可可能であることで、他のユーザが再生可能なメディアの作成を注文することができる。
【００５５】
請求項２４に記載の発明は、前記注文情報は、注文者情報、注文数、受取方法、代金支払方法、を含むことを特徴とする請求項１乃至請求項２３のいずれか１項に記載のメディア注文システムである。
【００５６】
この請求項２４に記載の発明によれば、注文情報は、注文者情報、注文数、受取方法、代金支払方法、を含むことで、簡単かつ確実に注文して再生可能なメディアの作成を注文することができる。
【００５７】
請求項２５に記載の発明は、ネットワークに接続され、再生可能なメディアを作成する注文受付、ユーザ認証および注文管理を行う注文サーバと、
前記ネットワークに接続され、前記メディアの作成に用いる画像情報と前記メディア作成の注文情報とを前記注文サーバへ送信するユーザ端末とを有し、
前記メディアの作成に用いる画像情報は、前記ユーザ端末から選択可能であることを特徴とするメディア注文方法である。
【００５８】
この請求項２５に記載の発明によれば、ユーザ端末から画像情報を選択することで、いつでもどこでも再生可能なメディアを作成する注文ができ、コンビニ等の店で受け取ったり自宅等への配送もでき、取扱店の閉店時間を気にする必要がないため、非常に便利である。
【００５９】
請求項２６に記載の発明は、前記注文サーバを介して生産管理サーバは、前記メディア作成の生産管理を行なうことを特徴とする請求項２５に記載のメディア注文方法である。
【００６０】
この請求項２６に記載の発明によれば、生産管理サーバにより注文サーバを介してメディア作成の生産管理を行なうことで、再生可能なメディアを作成する注文の集中管理でき、効率的に再生可能なメディアを作成することができる。
【００６１】
請求項２７に記載の発明は、前記画像情報は、前記メディアに書き込む画像情報、または前記メディアに付属させて表示する可視化された画像情報であることを特徴とする請求項２５または請求項２６に記載のメディア注文方法である。
【００６２】
この請求項２７に記載の発明によれば、画像情報は、メディアに書き込む画像情報、またはメディアに付属させて表示する可視化された画像情報であり、メディアの内容が把握できるように、タイトル・インデックス情報、サムネイル等の可視化情報（画像・文字）をメディア本体表面・裏面あるいはジャケット・カバーなどに表示することができ、ユーザの好みに応じた再生可能なメディアの作成を注文することができる。
【００６３】
請求項２８に記載の発明は、前記ユーザ端末から前記メディアに書き込む音楽情報を送信することを特徴とする請求項２５乃至請求項２７のいずれか１項に記載のメディア注文方法である。
【００６４】
この請求項２８に記載の発明によれば、ユーザ端末からメディアに書き込む音楽情報を送信することで、好みの音楽入りの再生可能なメディアの作成を注文することができる。
【００６５】
請求項２９に記載の発明は、前記音楽情報を他のサイトから取り入れて送信することを特徴とする請求項２８に記載のメディア注文方法である。
【００６６】
この請求項２９に記載の発明によれば、音楽情報を他のサイトから取り入れて送信することで、より好みの音楽入りの再生可能なメディアの作成を注文することができる。
【００６７】
請求項３０に記載の発明は、前記ユーザ端末から前記メディアに書き込む挿入楽曲情報および／または挿入楽曲の設定情報を送信することを特徴とする請求項２５乃至請求項２９のいずれか１項に記載のメディア注文方法である。
【００６８】
この請求項３０に記載の発明によれば、メディアに書き込む挿入楽曲情報および／または挿入楽曲の設定情報、例えば楽曲選択情報、挿入位置・時間・音量・フェードイン・フェードアウト設定等を送信し、予め選択可能な楽曲リストを表示し、注文サーバまたは生産装置側に挿入する楽曲データを保持することで、注文者が、送信できる音声情報のデータフォーマットは特に制限は無いがＷＡＶ、ＭＰ３、ＭＩＤＩ、ＷＭＡなどの音楽向けのフォーマットを利用できる。
【００６９】
請求項３１に記載の発明は、前記ユーザ端末から前記メディアに書き込む再生中の挿入する表示文字情報および／または表示文字の設定情報を送信することを特徴とする請求項２５乃至請求項３０のいずれか１項に記載のメディア注文方法である。
【００７０】
この請求項３１に記載の発明によれば、ユーザ端末からメディアに書き込む再生中の挿入する表示文字情報および／または表示文字の設定情報、例えば定型文選択情報、フォント・サイズ・色・挿入位置・表示時間・表示パターン等を送信し、表示文字は、注文者自らがテキスト文を入力しても良いし、注文サーバで  準備した定型文から選択することもできる。また、注文者は、フォント・サイズ・色・挿入位置・表示時間・表示パターンなどを好みに応じて選択指定することが可能となる。
【００７１】
請求項３２に記載の発明は、前記ユーザ端末から前記メディアに書き込む音声情報および／または挿入音声設定情報を送信することを特徴とする請求項２５乃至請求項３１のいずれか１項に記載のメディア注文方法である。
【００７２】
この請求項３２に記載の発明によれば、ユーザ端末からメディアに書き込む音声情報および／または挿入音声設定情報を送信し、音声情報は、注文者が所有の音声情報の挿入を指定しても良いし、予め注文サーバーで準備された、音声サンプル（あいさつやメッセージ音声情報）から選択することもできる。注文者が、送信できる音声情報のデータフォーマットは特に制限は無いがＷＡＶ、ＭＰ３、ＷＭＡ等のフォーマットを利用できる。また、注文者は、音声の挿入位置、時間、音量、フェードイン・フェードアウト設定など行うことが可能となり、より好みの音声入りの再生可能なメディアの作成を注文することができる。
【００７３】
請求項３３に記載の発明は、前記音声情報は、ユーザー所有の音声情報であることを特徴とする請求項３２に記載のメディア注文方法である。
【００７４】
この請求項３３に記載の発明によれば、音声情報がユーザー所有の音声情報であり、より好みの音声の再生可能なメディアの作成を注文することができる。
【００７５】
請求項３４に記載の発明は、前記挿入音声設定情報は、定型音声の選択、挿入位置、時間、音量、フェードイン・フェードアウト設定であることを特徴とする請求項３２に記載のメディア注文方法である。
【００７６】
この請求項３４に記載の発明によれば、挿入音声設定情報が定型音声の選択、挿入位置、時間、音量、フェードイン・フェードアウト設定であることで、より好みの音声の再生可能なメディアの作成を注文することができる。
【００７７】
請求項３５に記載の発明は、前記ユーザ端末から前記メディアに書き込む画像情報および／または表示文字情報の演出方法の設定情報を送信することを特徴とする請求項２５乃至請求項３４のいずれか１項に記載のメディア注文方法である。
【００７８】
この請求項３５に記載の発明によれば、ユーザ端末からメディアに書き込む画像情報および／または表示文字情報の演出方法の設定情報を送信し、ワイプ、ディゾルブ、フェードイン、フェードアウト、文字のスクロール、スーパーインポーズなど、また、画像の送り間隔などの演出効果の付与により、より好みの演出入りの再生可能なメディアの作成を注文することができる。
【００７９】
請求項３６に記載の発明は、前記ユーザ端末から前記メディアに書き込む画像情報の再生順の情報を送信することを特徴とする請求項２５乃至請求項３５のいずれか１項に記載のメディア注文方法である。
【００８０】
この請求項３６に記載の発明によれば、ユーザ端末からメディアに書き込む画像情報の再生順の情報を送信することで、より好みの再生可能なメディアの作成を注文することができる。
【００８１】
請求項３７に記載の発明は、前記ユーザ端末から前記メディアに用いるレーベル印刷の設定情報を注文時に送信することを特徴とする請求項２５乃至請求項３６のいずれか１項に記載のメディア注文方法である。
【００８２】
この請求項３７に記載の発明によれば、ユーザ端末からメディアに用いるレーベル印刷の設定情報を注文時に送信し、レーベル記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など好みに応じて選択指定することが可能となり、より好みのレーベル印刷を有する再生可能なメディアの作成を注文することができる。
【００８３】
請求項３８に記載の発明は、前記ユーザ端末から前記メディアに用いるジャケット印刷の設定情報を注文時に送信することを特徴とする請求項２５乃至請求項３７のいずれか１項に記載のメディア注文方法である。
【００８４】
この請求項３８に記載の発明によれば、ユーザ端末からメディアに用いるジャケット印刷の設定情報を注文時に送信し、ジャケット記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など  を好みに応じて選択指定することが可能となり、より好みのジャケットを有する再生可能なメディアの作成を注文することができる。
【００８５】
請求項３９に記載の発明は、前記注文サーバは、前記再生可能なメディアのプレビューを作成することを特徴とする請求項２５乃至請求項３８のいずれか１項に記載のメディア注文方法である。
【００８６】
この請求項３９に記載の発明によれば、注文サーバは、再生可能なメディアのプレビューを作成することで、ユーザがプレビューで確認して好みの再生可能なメディアの作成を注文することができる。
【００８７】
請求項４０に記載の発明は、前記プレビューが動画表示であることを特徴とする請求項３９に記載のメディア注文方法である。
【００８８】
この請求項４０に記載の発明によれば、プレビューが動画表示であることで、ユーザがプレビューで確認してより好みの再生可能なメディアの作成を注文することができる。
【００８９】
請求項４１に記載の発明は、前記プレビューがサムネール画像表示であることを特徴とする請求項３９に記載のメディア注文方法である。
【００９０】
この請求項４１に記載の発明によれば、プレビューがサムネール画像表示であることで、ユーザがプレビューで確認してより好みの再生可能なメディアの作成を注文することができる。
【００９１】
請求項４２に記載の発明は、前記注文サーバは、作成した再生可能なメディアの代金領収後に前記プレビューを消去することを特徴とする請求項３９乃至請求項４１のいずれか１項に記載のメディア注文方法である。
【００９２】
この請求項４２に記載の発明によれば、注文サーバは、作成した再生可能なメディアの代金領収後にプレビューを消去することで、保存期間中に注文の証拠とすることができ、またプレビューから修正や再注文等にも対応することができる。
【００９３】
請求項４３に記載の発明は、前記注文サーバは、作成した再生可能なメディアの代金領収後所定の保存期間経過後に前記プレビューを消去することを特徴とする請求項３９乃至請求項４２のいずれか１項に記載のメディア注文方法である。
【００９４】
この請求項４３に記載の発明によれば、注文サーバは、作成した再生可能なメディアの代金領収後所定の保存期間経過後にプレビューを消去することで、保存期間中に注文の証拠とすることができ、またプレビューから修正や再注文等にも対応することができる。
【００９５】
請求項４４に記載の発明は、前記ユーザ端末は、前記注文サーバから前記再生可能なメディアのプレビューを受信することを特徴とする請求項３９乃至請求項４３のいずれか１項に記載のメディア注文方法である。
【００９６】
この請求項４４に記載の発明によれば、ユーザ端末は、注文サーバから再生可能なメディアのプレビューを受信することで、ユーザがプレビューを自由に変更したり、閲覧可能にすることができる。
【００９７】
請求項４５に記載の発明は、前記ユーザ端末は、前記プレビューを他のユーザ端末に転送可能であることを特徴とする請求項４４に記載のメディア注文方法である。
【００９８】
この請求項４５に記載の発明によれば、ユーザ端末は、プレビューを他のユーザ端末に転送可能であることで、ユーザがプレビューを自由に友人等に紹介することができる。
【００９９】
請求項４６に記載の発明は、前記プレビューを他のユーザ端末に転送の際に、低画質閲覧と高画質閲覧の指定が可能であることを特徴とする請求項４５に記載のメディア注文方法である。
【０１００】
この請求項４６に記載の発明によれば、プレビューを他のユーザ端末に転送の際に、低画質閲覧と高画質閲覧の指定が可能であることで、プレビューの閲覧や販売が可能である。
【０１０１】
請求項４７に記載の発明は、前記プレビューを他のユーザ端末に転送の際に、メディア作成を許可可能であることを特徴とする請求項４５または請求項４６に記載のメディア注文方法である。
【０１０２】
この請求項４７に記載の発明によれば、プレビューを他のユーザ端末に転送の際に、メディア作成を許可可能であることで、他のユーザが再生可能なメディアの作成を注文することができる。
【０１０３】
請求項４８に記載の発明は、前記注文情報は、注文者情報、注文数、受取方法、代金支払方法、を含むことを特徴とする請求項２５乃至請求項４７のいずれか１項に記載のメディア注文方法である。
【０１０４】
この請求項４８に記載の発明によれば、注文情報は、注文者情報、注文数、受取方法、代金支払方法、を含むことで、簡単かつ確実に注文して再生可能なメディアの作成を注文することができる。
【０１０５】
【発明の実施の形態】
以下、この発明のメディア注文システムおよびメディア注文方法の実施の形態を図面に基づいて説明するが、この発明は、この実施の形態に限定されない。
【０１０６】
図１はメディア注文システムを示す図、図２乃至図６は再生可能なメディアを示す図である。
【０１０７】
図１において、ネットワーク１に、注文サーバ２、ユーザ端末３、生産管理サーバ４が接続され、それぞれネットワーク１を介して通信可能となっている。
【０１０８】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【０１０９】
注文サーバ２は、ネットワーク１を介し、再生可能なメディア８を作成する注文受付、ユーザ認証および注文管理を行うと共に、画像閲覧、画像保管、顧客情報管理など、ネットワーク画像サービスを提供可能な機能を有する。生産管理サーバ４には、メディア作成装置９が接続され、注文サーバ２を介してメディア作成の生産管理を行なう。メディア８やレーベル、ジャケットに書き込むためのデータ作成（レンダリング）を、生産管理サーバ４または注文サーバ２で行う。
【０１１０】
メディア作成装置９は、生産者に応じて接続され、単数あるいは複数である。このメディア作成装置９は、コンピュータ・システム９ａとメディア装填部９ｂとを有する。メディア装填部９ｂにメディア８をセットし、コンピュータ・システム９ａにより再生可能なメディア８を作成する。メディア作成装置９は、店舗等に配置され、店舗とは、画像加工や画像修正等ができる画像形成装置、プリンタを備えた、例えばラボのようなものを言うがこれに限られない。
【０１１１】
この再生可能なメディア８としては、ＣＤ、ＣＤ−Ｒ、ＣＤ−ＲＷなどのＣＤメディア、ＤＶＤ、ＤＶＤ−Ｒ、ＤＶＤ−ＲＷ、ＤＶＤ＋ＲＷ、ＤＶＤ＋ＲなどのＤＶＤメディア、コンパクトフラッシュ（登録商標）・ＳＤメモリーカード、メモリースティックスマートメディアなどのメモリーカード、ＶＨＳ方式（Ｄ−ＶＨＳやＳ−ＶＨＳなど）やＤＶ方式（ＤＶ・ＤＶＣなど）あるいはその他の形式のビデオテープ、ＭＤ、さらにはＤＡＴなどがある。
【０１１２】
これらのメディア８には、レーベル印刷が行なわれ、あるいはジャケットが付けられ、より好みの再生可能なメディア８を作成することができる。
【０１１３】
これらのメディア８の一例を、図２乃至図６に示す。図２はＣＤ８ａと、そのＣＤ８ａのレーベル８ｆ、ジャケット８ｇと、ＣＤケースを示し、ＣＤ８ａの盤面のレーベル８ｆ、ジャケット８ｇ等に絵や文字等のデザインが印刷等によって記録される。図３はＤＶＤ８ｂを示し、レーベル８ｆ、ジャケット８ｇと、ＤＶＤケースを示し、ＤＶＤ８ｂの盤面のレーベル８ｆ、ジャケット８ｇ等に絵や文字等のデザイン８ｈが印刷等によって記録され、さらにインデックス（サムネイル）画像８ｉが記録される。図４はメモリカード８ｃを示し、メモリカード８ｃのカード面のレーベル８ｆにデザインがレーベル印刷される。図５はビデオテープ８ｄを示し、ビデオケース面にサムネイル画像８ｉが印刷される。図６はＭＤ８ｅを示し、ＭＤ８ｅのＭＤ面にレーベル８ｆが印刷される。
【０１１４】
メディア作成装置９では、再生可能なメディア８のプレビューを作成することができ、ユーザがプレビューで確認して好みの再生可能なメディア８の作成を注文することができる。
【０１１５】
このプレビューは、図７に示すように、メディア作成装置９の表示画面９ｃに動画表示でき（図７（ａ））、またプレビューがサムネイル画像表示９ｄでき（図７（ｂ））、ユーザがプレビューで確認してより好みの再生可能なメディアの作成を注文することができる。
【０１１６】
生産管理サーバ４では、作成した再生可能なメディア８の代金領収後にプレビューを消去し、また作成した再生可能なメディア８の代金領収後所定の保存期間経過後にプレビューを消去するようにしてもよく、注文の証拠とすることができ、またプレビューから修正や再注文等にも対応することができる。
【０１１７】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【０１１８】
このユーザ端末３は、図８に示すようなメディア作成注文画面２０を有している。メディア作成注文画面２０には、画像呼出部２０ａ、画像選択部２０ｂ、再生順表示部２０ｃ、注文部２０ｄ等が設けられている。
【０１１９】
この画像呼出部２０ａでは、アルバム選択ボタン２０ａ１、戻るボタン２０ａ２が設けられ、例えばアルバム選択ボタン２０ａ１をクリックすると、画像選択部２０ｂにアルバム内容がサムネイル画像で表示される。戻るボタン２０ａ２のクリックで、アルバム選択ボタン２０ａ１から画像選択ボタン等に切り替わる。画像選択ボタンでは、１画像毎取り込み、この画像を画像選択部２０ｂに表示する。
【０１２０】
画像選択部２０ｂでは、サムネイル画像を選択してクリックする順に再生順表示部２０ｃに表示される。サムネイル画像として、例えば静止画や動画が表示される。すべてを選らぶボタン２０ｂ１をクリックすると、画像選択部２０ｂに表示された順に再生順表示部２０ｃに表示され、これが再生順になる。また、前ページボタン２０ｂ２と次ページボタン２０ｂ３とで多数のサムネイル画像が画像選択部２０ｂに表示される。
【０１２１】
再生順表示部２０ｃには、画像表示部２０ｃ１とスライド枚数表示部２０ｃ２が設けられ、ユーザに画像の再生順と枚数が容易にわかるようになっている。また、再生する画像を全てやり直す場合等には全て削除ボタン２０ｃ３をクリックして取り消し、特定の再生する画像をやり直す場合等には、特定画像をクリックして表示枠を付けたり、色を変えることなどで特定して削除ボタン２０ｃ４をクリックして取り消す。また、再生順を変更する場合には、順序を変えようとする特定画像をクリックして表示枠を付けたり、色を変えることなどで特定し、上へ移動ボタン２０ｃ５をクリックする毎に上へ移動し、あるいは下へ移動ボタン２０ｃ６をクリックする毎に、下へ移動して順序を変えることができる。
【０１２２】
注文部２０ｄには、保存ボタン２０ｄ１とプレビューボタン２０ｄ２が設けられている。保存ボタン２０ｄ１をクリックすると、再生順表示部２０ｃで設定された順に保存され、プレビューボタン２０ｄ２をクリックすることで最終確認し、メディア８の作成に用いる画像、例えば静止画や動画とメディア作成の注文情報とを注文サーバ２へ送信する。
【０１２３】
このように、ユーザ端末３からメディア８に書き込む画像情報の再生順の情報を送信することで、より好みの再生可能なメディアの作成を注文することができる。また、この画像は、メディア８に書き込む画像、またはメディア８に付属させて表示する可視化された画像であり、ユーザの好みに応じた再生可能なメディア８の作成を注文することができる。
【０１２４】
また、このメディア作成注文画面２０には、その他の機能設定部２０ｅが設けられている。このその他の機能設定部２０ｅには、音楽を設定する音楽設定ボタン２０ｅ１、画像に文字を入れる文字入れボタン２０ｅ２、音声を入れる音声入力ボタン２０ｅ３、演出効果を設定する演出効果設定ボタン２０ｅ４、レーベル文字・画像を指定する指定ボタン２０ｅ５及びジャケット文字・画像を指定する指定ボタン２０ｅ６が設けられている。
【０１２５】
音楽を設定する音楽設定ボタン２０ｅ１をクリックすると、図９の音楽を設定する画面３０が開き、メニューから選ぶボタン３０ａをクリックすると、曲名のリスト３０ａ１が表示され、この曲名のリスト３０ａ１からスクロールバー３０ｂを操作することで曲名を選び、例えば『いつも何度でも』の曲３０ａｂを選び、注文サーバ２の表示メニューから選択・指定する。メニューの曲名のリストにない他の音楽データを使う場合には、他の音楽データを使うボタン３０ｃをクリックすると、音楽入力部３０ｃ１が表示され、この音楽入力部３０ｃ１で題名を入力することで設定することができる。また、ユーザが独自に作詞、作曲した音楽を使用する場合には、作詞、作曲した音楽を保存している音楽フォルダを指定することで、音楽を設定することができる。
【０１２６】
また、この音楽指定では、例えば、曲検索・試聴・選択等があり、楽曲配信企業と提携し、選択曲数に応じて別途料金徴収試聴するようにしてもよく、曲のみメディアに入れて、全曲注文他社サイトにリンクするようにしてもよい。
【０１２７】
音楽を設定して送信する場合には、決定ボタン３０ｄをクリックして決定して送信し、やり直しが生じた場合にはやりなおしボタン３０ｅをクリックして設定をやり直す。
【０１２８】
このように、ユーザ端末３からメディア８に書き込む音楽情報を送信することで、好みの音楽入りの再生可能なメディア８の作成を注文することができる。また、音楽情報を他のサイトから取り入れて送信することで、より好みの音楽入りの再生可能なメディアの作成を注文することができる。
【０１２９】
また、ユーザ端末３からメディア８に書き込む挿入楽曲情報および／または挿入楽曲の設定情報、例えば楽曲選択情報、挿入位置・時間・音量・フェードイン・フェードアウト設定等を送信し、予め選択可能な楽曲リストを表示し、注文サーバまたは生産装置側に挿入する楽曲データを保持することで、注文者が、送信できる音声情報のデータフォーマットは特に制限は無いがＷＡＶ、ＭＰ３、ＭＩＤＩ、ＷＭＡなどの音楽向けのフォーマットを利用できる。
【０１３０】
画像に文字を入れる文字入れボタン２０ｅ２をクリックすると、図１０の画像に文字入れ画面４０が開き、画像選択ボタン４０ａをクリックすると、画像選択部２０ｂで選択された画像のリスト４０ａ１が表示され、この画像のリスト４０ａ１からクリックで文字を入れる画像を指定する。
【０１３１】
そして、文字入れボタン４０ｂをクリックして、メニューから選ぶボタン４０ｂ１、または自由入力ボタン４０ｂ２をクリックし、タイトル・コメント等の文字を指定する。次に、文字サイズボタン４０ｃ１、フォントボタン４０ｃ２、位置ボタン４０ｃ３及び色ボタン４０ｃ４の操作で、文字サイズ、フォント、位置及び色を指定する。文字入れを設定して送信する場合には、決定ボタン４０ｄをクリックして決定して送信し、やり直しが生じた場合にはやりなおしボタン４０ｅをクリックして設定をやり直す。
【０１３２】
このように、ユーザ端末３からメディア８に書き込む再生中の挿入する表示文字情報および／または表示文字の設定情報、例えば定型文選択情報、フォント・サイズ・色・挿入位置・表示時間・表示パターン等を送信し、表示文字は、注文者自らがテキスト文を入力しても良いし、注文サーバ２で準備した定型文から選択することもできる。また、注文者は、フォント・サイズ・色・挿入位置・表示時間・表示パターンなどを好みに応じて選択指定することが可能となる。
【０１３３】
音声を入れる音声入力ボタン２０ｅ３をクリックすると、図１１の音声を設定する画面５０が開き、メニューから選ぶボタン５０ａをクリックすると、効果音のリスト５０ａ１が表示され、この効果音のリスト５０ａ１からスクロールバー５０ｂを操作することで音声を選び、例えば『効果音１』の音声を選ぶことができ、音声サンプル（あいさつやメッセージ音声情報）から選択し、注文サーバ２の表示メニューから選択・指定する。メニューの効果音のリストにない他の音声データを使う場合には、他の音声データを使うボタン５０ｃをクリックすると、音声入力部５０ｃ１が表示され、この音声入力部５０ｃ１で、ユーザー所有の音声情報を記憶した音声フォルダを入力することで設定することができる。音声を設定して送信する場合には、決定ボタン５０ｄをクリックして決定して送信し、やり直しが生じた場合にはやりなおしボタン５０ｅをクリックして設定をやり直す。
【０１３４】
このように、ユーザ端末３からメディア８に書き込む音声情報および／または挿入音声設定情報を送信し、音声情報は、注文者が所有の音声情報の挿入を指定しても良いし、予め注文サーバ２で準備された、音声サンプル（あいさつやメッセージ音声情報）から選択することもできる。注文者が、送信できる音声情報のデータフォーマットは特に制限は無いがＷＡＶ、ＭＰ３、ＭＩＤＩ、ＷＭＡ等のフォーマットを利用できる。また、注文者は、音声の挿入位置、時間、音量、フェードイン・フェードアウト設定など行うことが可能となり、より好みの音声入りの再生可能なメディアの作成を注文することができる。
【０１３５】
また、音声情報は、ユーザー所有の音声情報であり、より好みの音声の再生可能なメディアの作成を注文することができる。
【０１３６】
また、挿入音声設定情報は、定型音声の選択、挿入位置、時間、音量、フェードイン・フェードアウト設定することができ、より好みの音声の再生可能なメディアの作成を注文することができる。
【０１３７】
演出効果を設定する演出効果設定ボタン２０ｅ４をクリックすると、図１２の演出効果を設定する画面６０が開き、メニューから選ぶボタン６０ａをクリックすると、演出効果のリスト６０ａ１が表示され、この演出効果のリスト６０ａ１からスクロールバー６０ｂを操作することで演出効果を選び、例えば『ディゾルブ１』を選ぶことができる。また、プレビューボタン６０ｃをクリックすることで、演出効果を確認する。
【０１３８】
また、スライド間隔ボタン６０ｄをクリックし、スクロールバー６０ｅを操作することで、例えば３秒の指定が行なわれる。演出効果を設定して送信する場合には、決定ボタン６０ｆをクリックして決定して送信し、やり直しが生じた場合にはやりなおしボタン６０ｇをクリックして設定をやり直す。
【０１３９】
このように、ユーザ端末３からメディア８に書き込む画像情報および／または表示文字情報の演出し、例えばワイプ、ディゾルブ、フェードイン、フェードアウト、文字のスクロール、スーパーインポーズなど、また、画像の送り間隔などもの演出により、より好みの演出入りの再生可能なメディアの作成を注文することができる。
【０１４０】
レーベル文字・画像を指定する指定ボタン２０ｅ５をクリックすると、図１３のレーベルデザインを設定する画面７０が開き、デザイン領域指定部７０ａで画像領域や文字領域を指定する。そして、画像選択ボタン７０ｂをクリックすると、画像選択部２０ｂで選択された画像のリスト７０ｂ１が表示され、スクロールバー７０ｃを操作することで、画像のリスト７０ｂ１からクリックで画像領域１及び画像領域２に印刷する画像を指定する。
【０１４１】
また、文字入れボタン７０ｄをクリックして、文字入力部７０ｄ１に例えば『北海道旅行』と入力し、文字領域に印刷するタイトル・コメント等の文字の文字サイズボタン７０ｅ１、フォントボタン７０ｅ２、位置ボタン７０ｅ３及び色ボタン７０ｅ４の操作で、文字サイズ、フォント、位置及び色を指定する。また、プレビューボタン７０ｆをクリックすることで、再現してレーベルデザインを確認する。レーベルデザインを設定して送信する場合には、決定ボタン７０ｇをクリックして決定して送信し、やり直しが生じた場合にはやりなおしボタン７０ｈをクリックして設定をやり直す。
【０１４２】
ジャケット文字・画像を指定する指定ボタン２０ｅ６をクリックすると、図１４のジャケットデザインを設定する画面８０が開き、デザイン領域指定部８０ａで画像領域や文字領域を指定する。そして、画像選択ボタン８０ｂをクリックすると、画像選択部２０ｂで選択された画像のリスト８０ｂ１が表示され、スクロールバー８０ｃを操作することで、画像のリスト８０ｂ１からクリックで画像領域１及び画像領域２に印刷する画像を指定する。
【０１４３】
また、文字入れボタン８０ｄをクリックして、文字入力部８０ｄ１の文字領域１に例えば『北海道旅行』を、文字領域２に『２００３年７月』を入力し、文字領域１及び文字領域２に印刷する文字の文字サイズボタン８０ｅ１、フォントボタン８０ｅ２、位置ボタン８０ｅ３及び色ボタン８０ｅ４の操作で、文字サイズ、フォント、位置及び色を指定する。また、プレビューボタン８０ｆをクリックすることで、再現してレーベルデザインを確認する。ジャケットデザインを設定して送信する場合には、決定ボタン８０ｇをクリックして決定して送信し、やり直しが生じた場合にはやりなおしボタン８０ｈをクリックして設定をやり直す。
【０１４４】
このように、メディア８の作成に用いる画像情報は、メディア８に書き込む画像情報、またはメディア８に付属させて表示する可視化された画像情報であり、メディア８の内容が把握できるように、タイトル・インデックス情報、サムネイル等の可視化情報（画像・文字）をメディア本体表面・裏面あるいはジャケット・カバーなどに表示することができ、ユーザの好みに応じた再生可能なメディア８の作成を注文することができる。
【０１４５】
また、ユーザ端末３からメディア８に用いるレーベル印刷の設定情報を注文時に送信し、レーベル記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など好みに応じて選択指定することが可能となり、より好みのレーベル印刷を有する再生可能なメディアの作成を注文することができる。
【０１４６】
また、ユーザ端末３からメディア８に用いるジャケットの設定情報を注文時に送信し、ジャケット記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など  を好みに応じて選択指定することが可能となり、より好みのジャケットを有する再生可能なメディアの作成を注文することができる。
【０１４７】
また、注文サーバ２は、再生可能なメディア８のプレビューを作成することで、ユーザがプレビューで確認して好みの再生可能なメディアの作成を注文することができる。プレビューが動画表示であることで、ユーザがプレビューで確認してより好みの再生可能なメディアの作成を注文することができる。また、プレビューがサムネール画像表示であることで、ユーザがプレビューで確認してより好みの再生可能なメディアの作成を注文することができる。
【０１４８】
また、注文サーバ２は、作成した再生可能なメディア８の代金領収後にプレビューを消去することで、保存期間中に注文の証拠とすることができ、またプレビューから修正や再注文等にも対応することができる。また、作成した再生可能なメディアの代金領収後所定の保存期間経過後に前記プレビューを消去することで、保存期間中に注文の証拠とすることができ、またプレビューから修正や再注文等にも対応することができる。
【０１４９】
また、ユーザ端末３は、注文サーバ２から再生可能なメディアのプレビューを受信することで、ユーザがプレビューを自由に変更したり、閲覧可能にすることができる。ユーザ端末３は、プレビューを他のユーザ端末に転送可能であることで、ユーザがプレビューを自由に友人等に紹介することができる。
【０１５０】
また、プレビューを他のユーザ端末に転送の際に、低画質閲覧と高画質閲覧の指定が可能であることで、プレビューの閲覧や販売が可能である。プレビューを他のユーザ端末に転送の際に、メディア作成を許可可能であることで、他のユーザが再生可能なメディアの作成を注文することができる。
【０１５１】
図１５に注文情報入力画面を示す。この実施の形態の注文情報入力画面９０には、再生可能なメディアを作成する枚数指定ボタン９０ａ、メディア届先入力ボタン９０ｂ、支払い方法入力ボタン９０ｃがあり、注文者情報、注文数、受取方法、代金支払方法を入力する。ユーザ端末３では、図８に示すメディア作成注文画面２０から送信が行なわれると、図１５の注文情報入力画面９０に切り替わり、支払い方法入力ボタン９０ｃをクリックすると、図１６の受取方法及び支払い方法選択画面９１に切り替わる。受取方法として、店頭または配送の選択が行なわれ、店頭を選択すると店頭支払になり、配送を選択するとクレジットカード支払いになる。
【０１５２】
図１６の受取方法及び支払い方法選択画面９１で『次へ』のボタンをクリックすると、図１７の送付先クレジット情報入力画面９２が表示され、メディア製品の送付先９２ａ、クレジット情報９２ｂを入力する。
【０１５３】
このように、注文情報に注文者情報、注文数、受取方法、代金支払方法、を含むことで、簡単かつ確実に注文して再生可能なメディアの作成を注文することができる。また、ユーザ端末３から画像情報を選択することで、いつでもどこでも再生可能なメディア８を作成する注文ができ、コンビニ等の店で受け取ったり自宅等への配送もでき、取扱店の閉店時間を気にする必要がないため、非常に便利である。注文サーバ２を介してメディア作成の注文の管理を行なうことで、再生可能なメディア８を作成する注文の集中管理でき、効率的に再生可能なメディア８を作成することができる。
【０１５４】
次に、図１８に基づいてメディア注文方法を説明する。図１８はメディア注文方法を実行するフローチャートである。
【０１５５】
ユーザは、ユーザ端末３のブラウザソフトを立ち上げ（Ｓ１）、メディア注文サイトにアクセスする（Ｓ２）。ユーザ端末３からユーザＩＤを入力して注文サーバ２へ送り、注文サーバ２では予め登録されたユーザＩＤと照合して個人のユーザ認証を行なう（Ｓ３）。
【０１５６】
ユーザ端末３では、注文サーバ２からのユーザ認証を受け取り、メディア注文を行なう。このメディア注文では、メディア８の作成に用いる画像とメディア作成の注文情報を入力し、注文サーバ２へ送信する（Ｓ４）。メディア８の作成に用いる画像は、ユーザ端末３から選択可能である（Ｓ５）。
【０１５７】
このメディア注文でメディア８に書き込む音楽、メディア８に書き込む再生中の表示文字の設定情報、書き込む音声、書き込む画像の演出、書き込む画像の再生順の情報の送信等のオプション注文の場合は（Ｓ６）、オプションの作成を行ない（Ｓ７）、オプション注文でない場合は、ステップＳ１９へ移行し、次の工程へ移行する。オプションの作成を行なうと、メディア作成の修正があるか否かの判断を行ない（Ｓ８）、メディア作成の修正がある場合は、修正を行ない（Ｓ９）、メディア作成の修正が完了する（Ｓ１０）。
【０１５８】
次に、オプション注文、再生可能なメディア８のプレビューの作成指示のオプション注文か否かの判断を行ない（Ｓ１１）、オプション注文でない場合は、注文サーバ２を介してオプション注文無し注文見積もりを行ない（Ｓ１２）、オプション注文の場合は、オプション注文あり見積もりが行なわれる（Ｓ１３）。
【０１５９】
ユーザ端末３では、見積もりとメディア注文の確認を行なう表示画面を閲覧可能であり（Ｓ１４）、見積金額とメディア注文の確認を行なう（Ｓ１５）。メディア製品の受取方法の指定を行ない（Ｓ１６）、代金支払方法の指定を行ない（Ｓ１７）、問題がない場合はメディア注文すると（Ｓ１８）、注文サーバ２を介して注文確認メールが配信され（Ｓ１９）、注文受付が終了し（Ｓ２０）、次の工程へ移行して終了する（Ｓ２１）。
【０１６０】
ここで、次の工程とは、▲１▼生産管理サーバ４への生産情報伝送、▲２▼受注情報に基づくメディアの生産、▲３▼指定先への製品配送することである。
【０１６１】
【発明の効果】
前記したように、請求項１および請求項２５に記載の発明では、ユーザ端末から画像情報を選択することで、いつでもどこでも再生可能なメディアを作成する注文ができ、コンビニ等の店で受け取ったり自宅等への配送もでき、取扱店の閉店時間を気にする必要がないため、非常に便利である。
【０１６２】
請求項２および請求項２６に記載の発明では、生産管理サーバにより注文サーバを介してメディア作成の生産管理を行なうことで、再生可能なメディアを作成する注文の集中管理でき、効率的に再生可能なメディアを作成することができる。
【０１６３】
請求項３および請求項２７に記載の発明では、画像情報は、メディアに書き込む画像情報、またはメディアに付属させて表示する可視化された画像情報であり、メディアの内容が把握できるように、タイトル・インデックス情報、サムネイル等の可視化情報（画像・文字）をメディア本体表面・裏面あるいはジャケット・カバーなどに表示することができ、ユーザの好みに応じた再生可能なメディアの作成を注文することができる。
【０１６４】
請求項４および請求項２８に記載の発明では、ユーザ端末からメディアに書き込む音楽情報を送信することで、好みの音楽入りの再生可能なメディアの作成を注文することができる。
【０１６５】
請求項５および請求項２９に記載の発明では、音楽情報を他のサイトから取り入れて送信することで、より好みの音楽入りの再生可能なメディアの作成を注文することができる。
【０１６６】
請求項６および請求項３０に記載の発明では、メディアに書き込む挿入楽曲情報および／または挿入楽曲の設定情報、例えば楽曲選択情報、挿入位置・時間・音量・フェードイン・フェードアウト設定等を送信し、予め選択可能な楽曲リストを表示し、注文サーバまたは生産装置側に挿入する楽曲データを保持することで、注文者が、送信できる音声情報のデータフォーマットは特に制限は無いがＷＡＶ、ＭＰ３、ＭＩＤＩ、ＷＭＡなどの音楽向けのフォーマットを利用できる。
【０１６７】
請求項７および請求項３１に記載の発明では、ユーザ端末からメディアに書き込む再生中の挿入する表示文字情報および／または表示文字の設定情報、例えば定型文選択情報、フォント・サイズ・色・挿入位置・表示時間・表示パターン等を送信し、表示文字は、注文者自らがテキスト文を入力しても良いし、注文サーバで準備した定型文から選択することもできる。また、注文者は、フォント・サイズ・色・挿入位置・表示時間・表示パターンなどを好みに応じて選択指定することが可能となる。
【０１６８】
請求項８および請求項３２に記載の発明では、ユーザ端末からメディアに書き込む音声情報および／または挿入音声設定情報を送信し、音声情報は、注文者が所有の音声情報の挿入を指定しても良いし、予め注文サーバーで準備された、音声サンプル（あいさつやメッセージ音声情報）から選択することもできる。注文者が、送信できる音声情報のデータフォーマットは特に制限は無いがＷＡＶ、ＭＰ３、ＷＭＡ等のフォーマットを利用できる。また、注文者は、音声の挿入位置、時間、音量、フェードイン・フェードアウト設定など行うことが可能となり、より好みの音声入りの再生可能なメディアの作成を注文することができる。
【０１６９】
請求項９および請求項３３に記載の発明では、音声情報がユーザー所有の音声情報であり、より好みの音声の再生可能なメディアの作成を注文することができる。
【０１７０】
請求項１０および請求項３４に記載の発明では、挿入音声設定情報が定型音声の選択、挿入位置、時間、音量、フェードイン・フェードアウト設定であることで、より好みの音声の再生可能なメディアの作成を注文することができる。
【０１７１】
請求項１１および請求項３５に記載の発明では、ユーザ端末からメディアに書き込む画像情報および／または表示文字情報の演出を送信し、ワイプ、ディゾルブ、フェードイン、フェードアウト、文字のスクロール、スーパーインポーズなど、また、画像の送り間隔などの演出効果の付与により、より好みの演出入りの再生可能なメディアの作成を注文することができる。
【０１７２】
請求項１２および請求項３６に記載の発明では、ユーザ端末からメディアに書き込む画像情報の再生順の情報を送信することで、より好みの再生可能なメディアの作成を注文することができる。
【０１７３】
請求項１３および請求項３７に記載の発明では、ユーザ端末からメディアに用いるレーベル印刷の設定情報を注文時に送信し、レーベル記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など好みに応じて選択指定することが可能となり、より好みのレーベル印刷を有する再生可能なメディアの作成を注文することができる。
【０１７４】
請求項１４および請求項３８に記載の発明では、ユーザ端末からメディアに用いるジャケットの設定情報を注文時に送信し、ジャケット記載情報は、注文者所有の画像を送信したりやタイトルや文を入力して指定しても良いし、予め注文サーバで準備された定型デザイン画像や定型タイトル・定型文から選択しても良い。また、注文者は表示画像や文字の挿入位置、大きさ、フォント・サイズ・色指定など  を好みに応じて選択指定することが可能となり、より好みのジャケットを有する再生可能なメディアの作成を注文することができる。
【０１７５】
請求項１５および請求項３９に記載の発明では、注文サーバは、再生可能なメディアのプレビューを作成することで、ユーザがプレビューで確認して好みの再生可能なメディアの作成を注文することができる。
【０１７６】
請求項１６および請求項４０に記載の発明では、プレビューが動画表示であることで、ユーザがプレビューで確認してより好みの再生可能なメディアの作成を注文することができる。
【０１７７】
請求項１７および請求項４１に記載の発明では、プレビューがサムネール画像表示であることで、ユーザがプレビューで確認してより好みの再生可能なメディアの作成を注文することができる。
【０１７８】
請求項１８および請求項４２に記載の発明では、注文サーバは、作成した再生可能なメディアの代金領収後にプレビューを消去することで、注文の証拠とすることができ、またプレビューから修正や再注文等にも対応することができる。
【０１７９】
請求項１９および請求項４３に記載の発明では、注文サーバは、作成した再生可能なメディアの代金領収後所定の保存期間経過後にプレビューを消去することで、注文の証拠とすることができ、またプレビューから修正や再注文等にも対応することができる。
【０１８０】
請求項２０および請求項４４に記載の発明では、ユーザ端末は、注文サーバから再生可能なメディアのプレビューを受信することで、ユーザがプレビューを自由に変更したり、閲覧可能にすることができる。
【０１８１】
請求項２１および請求項４５に記載の発明では、ユーザ端末は、プレビューを他のユーザ端末に転送可能であることで、ユーザがプレビューを自由に友人等に紹介することができる。
【０１８２】
請求項２２および請求項４６に記載の発明では、プレビューを他のユーザ端末に転送の際に、低画質閲覧と高画質閲覧の指定が可能であることで、プレビューの閲覧や販売が可能である。
【０１８３】
請求項２３および請求項４７に記載の発明では、プレビューを他のユーザ端末に転送の際に、メディア作成を許可可能であることで、他のユーザが再生可能なメディアの作成を注文することができる。
【０１８４】
請求項２４および請求項４８に記載の発明では、注文情報は、注文者情報、注文数、受取方法、代金支払方法、を含むことで、簡単かつ確実に注文して再生可能なメディアの作成を注文することができる。
【図面の簡単な説明】
【図１】メディア注文システムを示す図である。
【図２】再生可能なメディアを示す図である。
【図３】再生可能なメディアを示す図である。
【図４】再生可能なメディアを示す図である。
【図５】再生可能なメディアを示す図である。
【図６】再生可能なメディアを示す図である。
【図７】メディア作成装置の表示画面を示す図である。
【図８】メディア作成注文画面を示す図である。
【図９】音楽を設定する画面を示す図である。
【図１０】画像に文字入れ画面を示す図である。
【図１１】音声を設定する画面を示す図である。
【図１２】演出効果を設定する画面を示す図である。
【図１３】レーベルデザインを設定する画面を示す図である。
【図１４】ジャケットデザインを設定する画面を示す図である。
【図１５】注文情報入力画面を示す図である。
【図１６】受取方法及び支払い方法選択画面を示す図である。
【図１７】送付先クレジット情報入力画面を示す図である。
【図１８】メディア注文方法を実行するフローチャートである。
【符号の説明】
１  ネットワーク
２  注文サーバ
３  ユーザ端末
５  注文管理者端末
８  再生可能なメディア
９  メディア作成装置
２０  メディア作成注文画面
３０  音楽を設定する画面
４０  画像に文字入れ画面
５０  音声を設定する画面
６０  演出効果を設定する画面
７０  レーベルデザインを設定する画面
８０  ジャケットデザインを設定する画面
９０  注文情報入力画面
９１  受取方法及び支払い方法選択画面
９２  送付先クレジット情報入力画面
【図１】
2004318221.tif 000003
【図２】
2004318221.tif 000004
【図３】
2004318221.tif 000005
【図４】
2004318221.tif 000006
【図５】
2004318221.tif 000007
【図６】
2004318221.tif 000008
【図７】
2004318221.tif 000009
【図８】
2004318221.tif 000010
【図９】
2004318221.tif 000011
【図１０】
2004318221.tif 000012
【図１１】
2004318221.tif 000013
【図１２】
2004318221.tif 000014
【図１３】
2004318221.tif 000015
【図１４】
2004318221.tif 000016
【図１５】
2004318221.tif 000017
【図１６】
2004318221.tif 000018
【図１７】
2004318221.tif 000019
【図１８】
2004318221.tif 000020